(57)【特許請求の範囲】
【請求項１】
スクランブル解除を要するデジタル放送信号を受信する受信手段と、
前記受信手段の受信強度が所定値以下となった場合に、スクランブル解除のためのスクランブル解除情報が記憶された記憶媒体の試験を行う試験手段と、
前記試験手段により行われた前記記憶媒体の試験結果を表示手段に表示させる制御手段とを有し、
前記制御手段は、前記試験手段により前記記憶媒体のエラーが検出された場合に、前記受信手段に、前記スクランブル解除を要するデジタル放送信号以外の放送信号を受信させると共に、管理センタに前記記憶媒体の異常を通知するとの指示に応じて前記管理センタに前記記憶媒体の異常を通知し、前記試験手段により前記記憶媒体のエラーが検出されなかった場合には、前記表示手段に、受信感度が悪化した旨の表示を行うことを特徴とするデジタル放送受信機。
【請求項２】
デジタル放送受信機のデジタル放送受信方法であって、
スクランブル解除を要するデジタル放送信号を受信手段で受信するステップと、
前記受信手段の受信強度が所定値以下となった場合に、スクランブル解除のためのスクランブル解除情報が記憶された記憶媒体の試験を行うステップと、
前記記憶媒体の試験結果を表示手段に表示させるステップと、
前記記憶媒体の試験により前記記憶媒体のエラーが検出された場合に、前記受信手段に、前記スクランブル解除を要するデジタル放送信号以外の放送信号を受信させると共に、管理センタに前記記憶媒体の異常を通知するとの指示に応じて前記管理センタに前記記憶媒体の異常を通知するステップと、
前記記憶媒体の試験により前記記憶媒体のエラーが検出されなかった場合に、前記表示手段に、受信感度が悪化した旨の表示を表示させるステップと、
を有することを特徴とするデジタル放送受信方法。
【発明の詳細な説明】
【技術分野】
【０００１】
本発明は、デジタル放送を受信するデジタル放送受信機及びデジタル放送受信方法に関する。
【背景技術】
【０００２】
デジタルテレビ放送の開始に伴い、家庭用のデジタルテレビ放送受信機のみならず、車載用のデジタルテレビ放送受信機も利用されるようになっている（例えば、特許文献1乃至４参照）。
【特許文献１】特開平１１−１３６５８９号公報
【特許文献２】特開２００１−３０９２５４号公報
【特許文献３】特開２００５−２４４５３０号公報
【特許文献４】特開２００５−２４４５３１号公報
【発明の開示】
【発明が解決しようとする課題】
【０００３】
車載用のデジタルテレビ放送受信機は、家庭用とは異なり、走行中にユーザが複雑な操作を行わないようにする仕組みが必要となる。また、車載用のデジタルテレビ放送受信機は、走行中には映像や文字を表示させない仕様となっている。このため、操作性の向上が要求される。
【０００４】
本発明は、前述したような従来の問題を解決するためになされたもので、操作性を向上させたデジタル放送受信機及びデジタル放送受信方法を提供するものである。
【課題を解決するための手段】
【０００５】
本発明のデジタル放送受信機は、スクランブル解除を要するデジタル放送信号を受信する受信手段と、前記受信手段の受信強度が所定値以下となった場合に、スクランブル解除のためのスクランブル解除情報が記憶された記憶媒体の試験を行う試験手段と、前記試験手段により行われた前記記憶媒体の試験結果を表示手段に表示させる制御手段とを有し、前記制御手段は、前記試験手段により前記記憶媒体のエラーが検出された場合に、前記受信手段に、前記スクランブル解除を要するデジタル放送信号以外の放送信号を受信させると共に、管理センタに前記記憶媒体の異常を通知するとの指示に応じて前記管理センタに前記記憶媒体の異常を通知し、前記試験手段により前記記憶媒体のエラーが検出されなかった場合には、前記表示手段に、受信感度が悪化した旨の表示を行うことを特徴としている。
【０００６】
この構成によれば、受信手段の受信強度が所定値以下となった場合に、スクランブル解除のためのスクランブル解除情報が記憶された記憶媒体の試験を行い、記憶媒体のエラーが検出された場合には、記憶媒体の異常を通知するとの指示に応じて管理センタに記憶媒体の異常を通知することができる。また、記憶媒体のエラーが検出された場合に、ユーザには、スクランブル解除を要するデジタル放送以外の放送信号を視聴させることができる。さらに、記憶媒体のエラーが検出されなかった場合には、表示手段に、受信手段の受信感度が悪化した旨の表示を行うことにより、受信状態が悪化している原因をユーザに通知することができる。
【０００７】
本発明のデジタル放送受信方法は、デジタル放送受信機のデジタル放送受信方法であって、スクランブル解除を要するデジタル放送信号を受信手段で受信するステップと、前記受信手段の受信強度が所定値以下となった場合に、スクランブル解除のためのスクランブル解除情報が記憶された記憶媒体の試験を行うステップと、前記記憶媒体の試験結果を表示手段に表示させるステップと、前記記憶媒体の試験により前記記憶媒体のエラーが検出された場合に、前記受信手段に、前記スクランブル解除を要するデジタル放送信号以外の放送信号を受信させると共に、管理センタに前記記憶媒体の異常を通知するとの指示に応じて前記管理センタに前記記憶媒体の異常を通知するステップと、前記記憶媒体の試験により前記記憶媒体のエラーが検出されなかった場合に、前記表示手段に、受信感度が悪化した旨の表示を表示させるステップとを有している。
【発明の効果】
【００１３】
本発明によれば、ユーザがスクランブル解除を要するデジタル放送を視聴することができない場合には、他の放送や放送以外のコンテンツの再生に切り替わるため、スクランブル解除を要するデジタル放送の視聴が不可の場合にも、ユーザの複雑な操作は必要でなく、操作性が向上する。
【発明を実施するための最良の形態】
【００１４】
以下、本発明の実施の形態のデジタルテレビ放送受信機について、図面を用いて説明する。図１は、デジタルテレビ放送受信機の構成を示す図である。図１に示すデジタルテレビ放送受信機１００は、スクランブル解除を要するデジタルテレビ放送とその他の放送とを選択的に受信する機能とともに、ＣＤやＤＶＤ等の媒体に記憶されたコンテンツの再生機能を有する。
【００１５】
このデジタルテレビ放送受信機１００は、放送信号を受信するアンテナ１０と、処理ユニット２０、スピーカ５０、ディスプレイ６０及び操作部６２とによって構成される。これらのうち、処理ユニット２０は、バス２１に接続されたＣＰＵ２２、入出力部２４、ＲＡＭ２６、ＲＯＭ２８、ＩＣチップ３０、カードスロット３２、通信部３４、チューナ３６、復調部３８、ＴＳデコーダ４０、音声デコーダ４２、画像デコーダ４４及び表示処理部４６によって構成される。
【００１６】
ＣＰＵ２２は、ＲＡＭ２６やＲＯＭ２８に記憶されたプログラムや情報を用いて、処理ユニット２０の全体を制御するための各種処理を行う。入出力部２４は、ユーザによる操作部６２の操作に応じた指示を受け付ける。ＩＣチップ３０は、スクランブル解除を要するデジタルテレビ放送のスクランブル解除のためのスクランブル解除情報を記憶する。カードスロット３２は、スクランブル解除情報が記憶されたＩＣカード２００を装着する。なお、処理ユニット２０は、ＩＣチップ３０とカードスロット３２の少なくとも一方を有していればよい。通信部３４は、インターネット等の通信ネットワークを介して、スクランブル解除情報を管理するカードセンタとの間で通信を行う。
【００１７】
チューナ３６は、アンテナ１０によって受信された放送信号から目的の放送信号を取り出す処理を行う。復調部３８は、チューナ３６によって取り出された信号を復調する。ＴＳデコーダ４０は、ＩＣチップ３０やカードスロット３２に記憶されたスクランブル解除情報に基づいて、復調後の信号に対してスクランブルを解除する処理を行う。音声デコーダ４２は、ＴＳデコーダ４０の出力信号を復号して音声信号を取り出しスピーカ５０へ出力する。画像デコーダ４４は、ＴＳデコーダ４０の出力信号を復号して画像信号を取り出す。表示処理部４６は、画像デコーダ４４からの画像信号に基づいて、ディスプレイ６０による画像表示に必要な処理を行う。
【００１８】
以下、フローチャートを参照しつつ、デジタルテレビ放送受信機１００の動作についての第１実施例乃至第７実施例を説明する。なお、以下においては、デジタルテレビ放送受信機１００は、当初、スクランブル解除を要するデジタルテレビ放送を受信中であるものとする。
【００１９】
（第１実施例）
図２は、第１実施例におけるデジタルテレビ放送受信機１００の動作を示すフローチャートである。処理ユニット２０内のＣＰＵ２２は、所定のタイミング、例えば、デジタルテレビ放送受信機１００の電源が投入された時に、カードスロット３２に装着されるＩＣカード２００のテストを行う（Ｓ１０１）。図３は、ＩＣカードテストの内容例と、そのＩＣカードテストにおけるＩＣカード２００のエラーの内容例を示す図である。テスト内容は、ＩＣカード２００のカードスロット３２への装着状態、ＩＣカード２００との通信状態、ＩＣカード２００の使用可否、ＩＣカード２００の契約状態であり、エラー内容は、装着状態のテストにおいては未装着、通信状態のテストにおいては通信異常、使用可否のテストにおいては使用不可、契約状態のテストにおいては非契約、契約外、契約期限切れ及び視聴制限である。
【００２０】
ＣＰＵ２２は、ＩＣカードテストの後、その結果を表示処理部４６へ出力し、テスト結果の画像表示を指示する。表示処理部４６は、この指示に応じて、テスト結果の画像を生成し、ディスプレイ６０に表示させる（Ｓ１０２）。
【００２１】
次に、ＣＰＵ２２は、ＩＣカードテストの結果が良好であるか否かを判定する（Ｓ１０３）。ＩＣカードテストの結果が良好である場合には、一連の動作が終了する。一方、ＩＣカードテストの結果が良好でない場合、換言すれば、ＩＣカード２００のエラーを検出した場合には、ＣＰＵ２２は、チューナ３６がアンテナ１０によって受信された放送信号からスクランブル解除を要するデジタル放送信号以外のデジタルテレビ放送信号（他のデジタルテレビ放送信号）を取り出すように制御を行う。これにより、デジタルテレビ放送受信機１００によって受信される放送がスクランブル解除を要するデジタルテレビ放送から他のデジタルテレビ放送に切り替わる（Ｓ１０４）。
【００２２】
（第２実施例）
図４は、第２実施例におけるデジタルテレビ放送受信機１００の動作を示すフローチャートであり、図５は、第２実施例におけるディスプレイ６０に表示される画像の一例を示す図である。
【００２３】
処理ユニット２０内のＣＰＵ２２は、ユーザによってＩＣカード２００のテストが指示されたか否かを判定する（Ｓ２０１）。具体的には、スクランブル解除を要するデジタルテレビ放送が受信されて、ディスプレイ６０にその画像（図５（ａ））が表示されている時に、ユーザが操作部６２を操作して、メニュー画像の表示を指示すると、ＣＰＵ２２は、その指示に応じた信号を、入出力部２４を介して入力する。そして、ＣＰＵ２２は、そのユーザの指示に応じて、表示処理部４６に対してメニュー画像の表示を指示する。表示処理部４６は、この指示に応じて、図５（ｂ）に示すメニュー画像を生成し、ディスプレイ６０に表示させる。ユーザがディスプレイ６０に表示されたメニュー画像における「ＩＣカードテスト」の表示領域２０１に接触した場合、その旨の信号が入出力部２４を介してＣＰＵ２２に入力される。ＣＰＵ２２は、この表示領域２０１に接触した旨の信号を入力した場合には、ＩＣカード２００のテストが指示されたと判定する。
【００２４】
ユーザによってＩＣカード２００のテストが指示された場合、その後は、Ｓ２０２乃至Ｓ２０５において、図２に示すフローチャートにおけるＳ１０１乃至Ｓ１０４と同様の動作が行われる。
【００２５】
（第３実施例）
図６は、第３実施例におけるデジタルテレビ放送受信機１００の動作を示すフローチャートであり、図７及び図８は、第３実施例におけるディスプレイ６０に表示される画像の一例を示す図である。
【００２６】
処理ユニット２０内のＣＰＵ２２は、スクランブル解除を要するデジタルテレビ放送の受信状態を確認する（Ｓ３０１）。具体的には、ＣＰＵ２２は、チューナ３６が取り出したスクランブル解除を要するデジタルテレビ放送信号の受信強度を検出する。
【００２７】
次に、ＣＰＵ２２は、スクランブル解除を要するデジタルテレビ放送の受信品質が良好であるか否かを判定する（Ｓ３０２）。ＣＰＵ２２は、チューナ３６が取り出したスクランブル解除を要するデジタルテレビ放送信号の受信強度が予め定められた所定値を超える場合には良好であると判定し、所定値未満である場合には良好でないと判定する。
【００２８】
受信品質が良好である場合には、一連の動作が終了する。一方、受信品質が良好でない場合、ＣＰＵ２２は、カードスロット３２に装着されるＩＣカード２００のテストを行う（Ｓ３０３）。更に、ＣＰＵ２２は、そのＩＣカードテストの結果を表示処理部４６へ出力し、テスト結果の画像表示を指示する。表示処理部４６は、この指示に応じて、テスト結果の画像を生成し、ディスプレイ６０に表示させる（Ｓ３０４）。
【００２９】
次に、ＣＰＵ２２は、ＩＣカードテストの結果が良好であるか否かを判定する（Ｓ３０５）。ＩＣカードテストの結果が良好である場合、ＣＰＵ２２は、表示処理部４６に対して受信品質の悪化を通知するための画像の表示を指示する。表示処理部４６は、この指示に応じて、受信品質の悪化を通知するための画像、例えば、図７（ａ）に示す受信品質を示すマーク２０２をスクランブル解除を要するデジタルテレビ放送の画像に重ねた画像や、図７（ｂ）に示す画像を生成し、ディスプレイ６０に表示させる（Ｓ３０６）。
【００３０】
一方、ＩＣカードテストの結果が良好でない場合、換言すれば、ＩＣカード２００のエラーを検出した場合には、ＣＰＵ２２は、チューナ３６がアンテナ１０によって受信された放送信号から他のデジタルテレビ放送信号を取り出すように制御を行う。これにより、デジタルテレビ放送受信機１００によって受信される放送がスクランブル解除を要するデジタルテレビ放送から他のデジタルテレビ放送に切り替わる（Ｓ３０７）。
【００３１】
次に、ＣＰＵ２２は、ユーザによってカードセンタへのＩＣカード２００のエラー通知が指示されたか否かを判定する（Ｓ３０８）。具体的には、ＣＰＵ２２は、表示処理部４６に対してエラー通知の選択画像の表示を指示する。表示処理部４６は、この指示に応じて、図７（ｃ）に示すエラー通知の選択画像を生成し、ディスプレイ６０に表示させる。ユーザがディスプレイ６０に表示されたエラー通知の選択画像における「はい」の表示領域２０３や「いいえ」の表示領域２０４に接触した場合、その旨の信号が入出力部２４を介してＣＰＵ２２に入力される。ＣＰＵ２２は、表示領域２０３に接触した旨の信号を入力した場合には、エラー通知が指示されたと判定し、表示領域２０４に接触した旨の信号を入力した場合には、エラー通知が指示されなかったと判定する。
【００３２】
エラー通知が指示されなかった場合には一連の動作が終了する。一方、エラー通知が指示された場合には、ＣＰＵ２２は、通信部３４に対してエラー内容の情報を出力するとともに、カードセンタへの通知を指示する。通信部３４は、この指示に応じてエラー内容の情報をカードセンタへ通知する（Ｓ３０９）。
【００３３】
（第４実施例）
本実施例においては、予めＩＣカードテストを自動的に行うか否かが設定される。図８は、ＩＣカードテストの自動設定における画像の一例を示す図である。処理ユニット２０内のＣＰＵ２２は、ユーザが操作部６２を操作して、メニュー画像の表示を指示すると、その指示に応じた信号を、入出力部２４を介して入力する。そして、ＣＰＵ２２は、そのユーザの指示に応じて、表示処理部４６に対してメニュー画像の表示を指示する。表示処理部４６は、この指示に応じて、図８（ａ）に示すメニュー画像を生成し、ディスプレイ６０に表示させる。
【００３４】
ユーザがディスプレイ６０に表示されたメニュー画像における「その他設定」の表示領域２０５に接触した場合、その旨の信号が入出力部２４を介してＣＰＵ２２に入力される。ＣＰＵ２２は、この表示領域２０５に接触した旨の信号を入力した場合、表示処理部４６に対して設定画像の表示を指示する。表示処理部４６は、この指示に応じて、図８（ｂ）に示す設定画像を生成し、ディスプレイ６０に表示させる。ユーザがディスプレイ６０に表示された設定画像における自動テストの「ＯＮ」の表示領域２０６や「ＯＦＦ」の表示領域２０７に接触した場合、その旨の信号が入出力部２４を介してＣＰＵ２２に入力される。ＣＰＵ２２は、表示領域２０６に接触した旨の信号を入力した場合、ＩＣカードテストを自動的に行う旨の設定情報をＲＡＭ２６に記憶させ、表示領域２０７に接触した旨の信号を入力した場合、ＩＣカードテストを自動的に行わない旨の設定情報をＲＡＭ２６に記憶させる。
【００３５】
図９は、第４実施例におけるデジタルテレビ放送受信機１００の動作を示すフローチャートである。Ｓ４０１及びＳ４０２の動作は、図６に示すフローチャートにおけるＳ３０１及びＳ３０２の動作と同様であるので、その説明は省略する。
【００３６】
Ｓ４０２において受信品質が良好でないと判定した場合、ＣＰＵ２２は、ＩＣカードテストを自動的に行う旨の設定がなされているか否かを判定する（Ｓ４０３）。具体的には、ＣＰＵ２２は、ＲＡＭ２６にＩＣカードテストを自動的に行う旨の設定情報が記憶されている場合には、ＩＣカードテストを自動的に行う旨の設定がなされていると判定し、ＩＣカードテストを自動的に行わない旨の設定情報が記憶されている場合には、ＩＣカードテストを自動的に行わない旨の設定がなされていると判定する。
【００３７】
ＩＣカードテストを自動的に行わない旨の設定がなされている場合には、一連の動作が終了する。一方、ＩＣカードテストを自動的に行う旨の設定がなされている場合には、その後は、Ｓ４０４乃至Ｓ４１０において、図６に示すフローチャートにおけるＳ３０３乃至Ｓ３０９と同様の動作が行われる。
【００３８】
（第５実施例）
本実施例においては、予めＩＣカードテストが良好でない場合に、カードセンタに対するエラー通知を自動的に行うか否かが設定される。図１０は、エラー通知の自動設定における画像の一例を示す図である。処理ユニット２０内のＣＰＵ２２は、ユーザが操作部６２を操作して、メニュー画像の表示を指示すると、ＣＰＵ２２は、その指示に応じた信号を、入出力部２４を介して入力する。そして、ＣＰＵ２２は、そのユーザの指示に応じて、表示処理部４６に対してメニュー画像の表示を指示する。表示処理部４６は、この指示に応じて、図１０（ａ）に示すメニュー画像を生成し、ディスプレイ６０に表示させる。
【００３９】
ユーザがディスプレイ６０に表示されたメニュー画像における「その他設定」の表示領域２０５に接触した場合、その旨の信号が入出力部２４を介してＣＰＵ２２に入力される。ＣＰＵ２２は、この表示領域２０５に接触した旨の信号を入力した場合、表示処理部４６に対して設定画像の表示を指示する。表示処理部４６は、この指示に応じて、図１０（ｂ）に示す設定画像を生成し、ディスプレイ６０に表示させる。ユーザがディスプレイ６０に表示された設定画像におけるカードエラー時通知の「ＯＮ」の表示領域２０８や「ＯＦＦ」の表示領域２０９に接触した場合、その旨の信号が入出力部２４を介してＣＰＵ２２に入力される。ＣＰＵ２２は、表示領域２０８に接触した旨の信号を入力した場合、ＩＣカードテストにおけるエラー通知を自動的に行う旨の設定情報をＲＡＭ２６に記憶させ、表示領域２０９に接触した旨の信号を入力した場合、ＩＣカードテストにおけるエラー通知を自動的に行わない旨の設定情報をＲＡＭ２６に記憶させる。
【００４０】
図１１は、第５実施例におけるデジタルテレビ放送受信機１００の動作を示すフローチャートである。Ｓ５０１乃至Ｓ５０８の動作は、図９に示すフローチャートにおけるＳ４０１乃至Ｓ４０８の動作と同様であるので、その説明は省略する。
【００４１】
Ｓ５０８においてスクランブル解除を要するデジタルテレビ放送の受信から他のデジタルテレビ放送の受信への切り替えがなされた後、ＣＰＵ２２は、ＩＣカードテストにおけるエラー通知を自動的に行う旨の設定がなされているか否かを判定する（Ｓ５０９）。具体的には、ＣＰＵ２２は、ＲＡＭ２６にＩＣカードテストにおけるエラー通知を自動的に行う旨の設定情報が記憶されている場合には、エラー通知を自動的に行う旨の設定がなされていると判定し、ＩＣカードテストにおけるエラー通知を自動的に行わない旨の設定情報が記憶されている場合には、エラー通知を自動的に行わない旨の設定がなされていると判定する。
【００４２】
ＩＣカードテストにおけるエラー通知を自動的に行わない旨の設定がなされている場合には、一連の動作が終了する。一方、ＩＣカードテストにおけるエラー通知を自動的に行う旨の設定がなされている場合には、ＣＰＵ２２は、通信部３４に対してエラー内容の情報を出力するとともに、カードセンタへの通知を指示する。通信部３４は、この指示に応じてエラー内容の情報をカードセンタへ通知する（Ｓ５１０）。
【００４３】
（第６実施例）
図１２は、第６実施例におけるデジタルテレビ放送受信機１００の動作を示すフローチャートであり、図１３は、第３実施例におけるディスプレイ６０に表示される画像の一例を示す図である。図１２に示すフローチャートにおけるＳ６０１乃至Ｓ６０７の動作は、図１１に示すフローチャートにおけるＳ５０１乃至Ｓ５０７の動作と同様であるので、その説明は省略する。
【００４４】
Ｓ６０６においてＩＣカードテストの結果が良好でないと判定した場合、換言すれば、ＩＣカード２００のエラーを検出した場合、ＣＰＵ２２は、ユーザによって受信する放送の切り替えが指示されたか否かを判定する（Ｓ６０８）。具体的には、ＣＰＵ２２は、表示処理部４６に対して受信放送の切り替えの選択画像の表示を指示する。表示処理部４６は、この指示に応じて、図１３に示す受信放送の切り替えの選択画像を生成し、ディスプレイ６０に表示させる。ユーザがディスプレイ６０に表示された受信放送の切り替えの選択画像における「はい」の表示領域２１０や「いいえ」の表示領域２１１に接触した場合、その旨の信号が入出力部２４を介してＣＰＵ２２に入力される。ＣＰＵ２２は、表示領域２１０に接触した旨の信号を入力した場合には、受信放送の切り替えが指示されたと判定し、表示領域２１１に接触した旨の信号を入力した場合には、受信放送の切り替えが指示されなかったと判定する。
【００４５】
受信放送の切り替えが指示された場合には、ＣＰＵ２２は、チューナ３６がアンテナ１０によって受信された放送信号から他のデジタルテレビ放送信号を取り出すように制御を行う。これにより、デジタルテレビ放送受信機１００によって受信される放送がスクランブル解除を要するデジタルテレビ放送から他のデジタルテレビ放送に切り替わる（Ｓ６０９）。一方、受信放送の切り替えが指示されなかった場合には、Ｓ６０９の動作は行われない。その後は、Ｓ６１０及びＳ６１１において、図１１に示すフローチャートにおけるＳ５０９及びＳ５１０と同様の動作が行われる。
【００４６】
（第７実施例）
本実施例においては、予め受信放送の切り替えを自動的に行うか否かが設定される。図１４は、受信放送の自動切り替え設定における画像の一例を示す図である。処理ユニット２０内のＣＰＵ２２は、ユーザが操作部６２を操作して、メニュー画像の表示を指示すると、ＣＰＵ２２は、その指示に応じた信号を、入出力部２４を介して入力する。そして、ＣＰＵ２２は、そのユーザの指示に応じて、表示処理部４６に対してメニュー画像の表示を指示する。表示処理部４６は、この指示に応じて、図１４（ａ）に示すメニュー画像を生成し、ディスプレイ６０に表示させる。
【００４７】
ユーザがディスプレイ６０に表示されたメニュー画像における「その他設定」の表示領域２０５に接触した場合、その旨の信号が入出力部２４を介してＣＰＵ２２に入力される。ＣＰＵ２２は、この表示領域２０５に接触した旨の信号を入力した場合、表示処理部４６に対して設定画像の表示を指示する。表示処理部４６は、この指示に応じて、図１４（ｂ）に示す設定画像を生成し、ディスプレイ６０に表示させる。ユーザがディスプレイ６０に表示された設定画像における自動受信切り替えの「ＯＮ」の表示領域２１２や「ＯＦＦ」の表示領域２１３に接触した場合、その旨の信号が入出力部２４を介してＣＰＵ２２に入力される。ＣＰＵ２２は、表示領域２１２に接触した旨の信号を入力した場合、受信放送の切り替えを自動的に行う旨の設定情報をＲＡＭ２６に記憶させ、表示領域２１３に接触した旨の信号を入力した場合、受信放送の切り替えを自動的に行わない旨の設定情報をＲＡＭ２６に記憶させる。
【００４８】
図１５は、第７実施例におけるデジタルテレビ放送受信機１００の動作を示すフローチャートである。Ｓ７０１及びＳ７０７の動作は、図１２に示すフローチャートにおけるＳ６０１及びＳ６０７の動作と同様であるので、その説明は省略する。
【００４９】
Ｓ７０６においてＩＣカードテストの結果が良好でないと判定した場合、換言すれば、ＩＣカード２００のエラーを検出した場合、ＣＰＵ２２は、受信放送の切り替えを自動的に行う旨の設定がなされているか否かを判定する（Ｓ７０８）。具体的には、ＣＰＵ２２は、ＲＡＭ２６に受信放送の切り替えを自動的に行う旨の設定情報が記憶されている場合には、受信放送の切り替えを自動的に行う旨の設定がなされていると判定し、受信放送の切り替えを自動的に行わない旨の設定情報が記憶されている場合には、受信放送の切り替えを自動的に行わない旨の設定がなされていると判定する。
【００５０】
受信放送の切り替えを自動的に行う旨の設定がなされている場合には、ＣＰＵ２２は、チューナ３６がアンテナ１０によって受信された放送信号から他のデジタルテレビ放送信号を取り出すように制御を行う。これにより、デジタルテレビ放送受信機１００によって受信される放送がスクランブル解除を要するデジタルテレビ放送から他のデジタルテレビ放送に切り替わる（Ｓ７０９）。一方、受信放送の切り替えを自動的に行わない旨の設定がなされている場合には、Ｓ７０９の動作は行われない。その後は、Ｓ７１０及びＳ７１１において、図１２に示すフローチャートにおけるＳ６１０及びＳ６１１と同様の動作が行われる。
【００５１】
このように、本実施形態のデジタルテレビ放送受信機１００は、スクランブル解除情報が記憶されたＩＣカード２００にエラーが生じた場合、換言すれば、ユーザがスクランブル解除を要するデジタルテレビ放送を視聴することができない場合には、自動的に、あるいはユーザの簡易な操作によって、他のデジタルテレビ放送に切り替わるため、スクランブル解除を要するデジタルテレビ放送の視聴が不可の場合にも、ユーザの複雑な操作は必要でなく、操作性が向上する。
【００５２】
なお、上述した実施形態では、ＩＣカード２００についてのテストが行われたが、スクランブル解除情報が記憶されたＩＣチップ３０のテストが行われる場合にも、同様に本発明を適用することができる。
【００５３】
また、上述した実施形態では、ユーザがスクランブル解除を要するデジタルテレビ放送を視聴することができない場合に、ＣＰＵ２２は、他のデジタルテレビ放送の受信に切り替える制御が行われたが、アナログテレビ放送やラジオ放送に切り替える制御を行うようにしてもよい。この場合、ＣＰＵ２２は、チューナ３６がアンテナ１０によって受信された放送信号からアナログテレビ放送信号やラジオ放送信号を取り出すように制御を行う。
【００５４】
あるいは、ユーザがスクランブル解除を要するデジタルテレビ放送を視聴することができない場合に、ＣＰＵ２２は、放送以外のＣＤやＤＶＤ等の媒体に記憶されたコンテンツを再生する制御を行うようにしてもよい。この場合、ＣＰＵ２２は、入出力部２４を介して、図示しないＣＤやＤＶＤ等の媒体からコンテンツデータを読み出し、当該コンテンツデータに含まれる音声データを音声デコーダ４２へ出力するとともに、画像データを画像デコーダ４４へ出力する。音声デコーダ４２は、入力した音声データを復号して音声信号を取り出し、スピーカ５０へ出力する。画像デコーダ４４は、入力した画像データを復号して画像信号を取り出す。表示処理部４６は、画像デコーダ４４からの画像信号に基づいて、ディスプレイ６０による画像表示に必要な処理を行う。これにより、コンテンツの再生が行われる。また、デジタルテレビ放送受信機１００が、上述のようにスクランブル解除を要するデジタルテレビ放送とその他の放送とを選択的に受信するのではなく、スクランブル解除を要するデジタルテレビ放送のみを受信する場合においても、同様に、ユーザがスクランブル解除を要するデジタルテレビ放送を視聴することができない場合には、ＣＰＵ２２は、放送以外のＣＤやＤＶＤ等の媒体に記憶されたコンテンツを再生する制御を行うようにしてもよい。
【産業上の利用可能性】
【００５５】
以上、説明したように、本発明に係るデジタル放送受信機及びデジタル放送受信方法は、操作性を向上させることができ、デジタルテレビ放送受信機等として有用である。
【図面の簡単な説明】
【００５６】
【図１】デジタルテレビ放送受信機の構成を示す図である。
【図２】第１実施例の動作を示すフローチャートである。
【図３】ＩＣカードテストの内容例とエラーの内容例を示す図である。
【図４】第２実施例の動作を示すフローチャートである。
【図５】第２実施例における表示画像の一例を示す図である。
【図６】第３実施例の動作を示すフローチャートである
【図７】第３実施例における表示画像の第１の例を示す図である。
【図８】第３実施例における表示画像の第２の例を示す図である。
【図９】第４実施例における動作を示すフローチャートである。
【図１０】第５実施例における表示画像の一例を示す図である。
【図１１】第５実施例の動作を示すフローチャートである。
【図１２】第６実施例の動作を示すフローチャートである。
【図１３】第６実施例における表示画像の一例を示す図である。
【図１４】第７実施例における表示画像の一例を示す図である。
【図１５】第７実施例の動作を示すフローチャートである。
【符号の説明】
【００５７】
１０  アンテナ
２０  処理ユニット
２１  バス
２２  ＣＰＵ
２４  入出力部
２６  ＲＡＭ
２８  ＲＯＭ
３０  ＩＣチップ
３２  カードスロット
３４  通信部
３６  チューナ
３８  復調部
４０  ＴＳデコーダ
４２  音声デコーダ
４４  画像デコーダ
４６  表示処理部
５０  スピーカ
６０  ディスプレイ
６２  操作部
１００  デジタルテレビ放送受信機
２００  ＩＣカード
【図１】
0004549986.tif 000002
【図２】
0004549986.tif 000003
【図３】
0004549986.tif 000004
【図４】
0004549986.tif 000005
【図５】
0004549986.tif 000006
【図６】
0004549986.tif 000007
【図７】
0004549986.tif 000008
【図８】
0004549986.tif 000009
【図９】
0004549986.tif 000010
【図１０】
0004549986.tif 000011
【図１１】
0004549986.tif 000012
【図１２】
0004549986.tif 000013
【図１３】
0004549986.tif 000014
【図１４】
0004549986.tif 000015
【図１５】
0004549986.tif 000016